(57)【要約】【課題】開封時に内容物が飛び出すのを抑える。【解決手段】上端開口１１ａを有する有底筒状のカップ体１１と、カップ体の上端開口縁から径方向の外側に向けて突出したフランジ部１２と、フランジ部の上面に剥離可能に接着され、カップ体の上端開口を閉塞するシール材１３と、カップ体の周壁部１４に、上端開口縁から下方に向けて延びるとともに、外周面が径方向の内側に向けて窪み、内周面がカップ体の内側に向けて張り出した反転変形部１６が形成され、フランジ部のうち、反転変形部の上端に連なる部分を含む操作部分１５は、上方に向けて折り曲げ可能に形成され、反転変形部は、操作部分の上方に向けた折り曲げに伴い、径方向の外側に向けて反転変形可能に形成されている。【選択図】図１
2020121800.tif 000002
【特許請求の範囲】
【請求項１】
上端開口を有する有底筒状のカップ体と、
このカップ体の上端開口縁から径方向の外側に向けて突出したフランジ部と、
前記フランジ部の上面に剥離可能に接着され、前記カップ体の上端開口を閉塞するシール材と、を備え、
前記カップ体の周壁部に、上端開口縁から下方に向けて延びるとともに、外周面が径方向の内側に向けて窪み、内周面が前記カップ体の内側に向けて張り出した反転変形部が形成され、
前記フランジ部のうち、前記反転変形部の上端に連なる部分を含む操作部分は、上方に向けて折り曲げ可能に形成され、
前記反転変形部は、前記操作部分の上方に向けた折り曲げに伴い、径方向の外側に向けて反転変形可能に形成されている、カップ状容器。
【請求項２】
前記操作部分におけるカップ軸回りに沿う周方向の両端部は、前記フランジ部のうち、前記操作部分に周方向で連なる連設部分における前記操作部分との接続部分の外周縁を径方向の外側から囲う羽部を有している、請求項１に記載のカップ状容器。
【請求項３】
上面視において、前記フランジ部の幅は、前記操作部分において最大となっている、請求項１または２に記載のカップ状容器。
【請求項４】
前記操作部分のうち、前記反転変形部の上端に連なる部分に、下方に向けて窪んだ窪み部が形成されている、請求項１から３のいずれか１項に記載のカップ状容器。
【請求項５】
前記カップ体の周壁部の肉厚が、前記フランジ部の肉厚より薄い、請求項１から４のいずれか１項に記載のカップ状容器。
【発明の詳細な説明】
【技術分野】
【０００１】
本発明は、カップ状容器に関するものである。
【背景技術】
【０００２】
従来から、例えば下記特許文献１に示されるように、上端開口を有する有底筒状のカップ体と、カップ体の上端開口縁から径方向の外側に向けて突出したフランジ部と、フランジ部の上面に剥離可能に接着され、カップ体の上端開口を閉塞するシール材と、を備えるカップ状容器が知られている。
【先行技術文献】
【特許文献】
【０００３】
【特許文献１】特開平１１−２０８６９６号公報
【発明の概要】
【発明が解決しようとする課題】
【０００４】
しかしながら、従来のカップ状容器では、シール材をフランジ部の上面から剥がしてカップ体の上端開口を開放させたときに、内容物が飛び出すおそれがあった。
【０００５】
本発明は、このような事情を考慮してなされたもので、開封時に内容物が飛び出すのを抑えることができるカップ状容器を提供することを目的とする。
【課題を解決するための手段】
【０００６】
上記課題を解決して、このような目的を達成するために、本発明のカップ状容器は、上端開口を有する有底筒状のカップ体と、このカップ体の上端開口縁から径方向の外側に向けて突出したフランジ部と、前記フランジ部の上面に剥離可能に接着され、前記カップ体の上端開口を閉塞するシール材と、を備え、前記カップ体の周壁部に、上端開口縁から下方に向けて延びるとともに、外周面が径方向の内側に向けて窪み、内周面が前記カップ体の内側に向けて張り出した反転変形部が形成され、前記フランジ部のうち、前記反転変形部の上端に連なる部分を含む操作部分は、上方に向けて折り曲げ可能に形成され、前記反転変形部は、前記操作部分の上方に向けた折り曲げに伴い、径方向の外側に向けて反転変形可能に形成されている。
【０００７】
この発明によれば、カップ体の周壁部に反転変形部が形成され、操作部分の上方に向けた折り曲げに伴い、反転変形部が径方向の外側に向けて反転変形するので、開封前に予め、反転変形部を反転変形させることで、カップ体の内容積を増大させ、カップ体の内側を減圧しておくことができる。この状態で、シール材をフランジ部の上面から剥がしてカップ体の上端開口を開放させると、外気がカップ体の内側に吸入されることとなり、内容物が外部に飛び出すのを抑制することができる。
【０００８】
ここで、前記操作部分におけるカップ軸回りに沿う周方向の両端部は、前記フランジ部のうち、前記操作部分に周方向で連なる連設部分における前記操作部分との接続部分の外周縁を径方向の外側から囲う羽部を有してもよい。
【０００９】
この場合、操作部分における周方向の両端部が前記羽部を有しているので、操作部分を上方に向けて折り曲げたときに、操作部分と連設部分との接続部分に応力が集中することとなり、反転変形部を反転変形させるのに要する、操作部分の上方に向けた折り曲げ力を低く抑えることができる。
【００１０】
また、上面視において、前記フランジ部の幅は、前記操作部分において最大となってもよい。
【００１１】
この場合、上面視において、前記フランジ部の幅が、操作部分において最大となっているので、操作部分を上方に向けて容易に折り曲げることができる。
【００１２】
また、前記操作部分のうち、前記反転変形部の上端に連なる部分に、下方に向けて窪んだ窪み部が形成されてもよい。
【００１３】
この場合、操作部分のうち、反転変形部の上端に連なる部分に、下方に向けて窪んだ窪み部が形成されているので、フランジ部のうち、上方に向けた力を加えたときに、反転変形部が反転変形しやすい部分を、使用者に容易に認識させることができる。
窪み部により操作部分の剛性が高められ、操作部分を上方に向けて折り曲げるときに、操作部分がたわむのを抑制することができる。
窪み部が、操作部分の外周縁から径方向の内側に向けて延びて径方向の外側に向けて開口している場合には、開封後に、カップ体内の内容物を、窪み部から注ぎ出すことができる。
【００１４】
また、前記カップ体の周壁部の肉厚が、前記フランジ部の肉厚より薄くてもよい。
【００１５】
この場合、カップ体の周壁部の肉厚が、フランジ部の肉厚より薄いので、操作部分を上方に向けた折り曲げたときに、これらの肉厚差に起因して、カップ体の周壁部と操作部分との接続部分に応力を集中させることが可能になることと相俟って、反転変形部を確実に径方向の外側に向けて反転変形させることができる。
【発明の効果】
【００１６】
本発明によれば、開封時に内容物が飛び出すのを抑えることができる。
【図面の簡単な説明】
【００１７】
【図１】本発明に係る一実施形態として示したカップ状容器の斜視図である。
【図２】図１に示すカップ状容器の上面図である。
【図３】図１に示すカップ状容器を径方向の外側から見た図である。
【図４】図２のＩＶ−ＩＶ線矢視断面図である。
【図５】図１に示すカップ状容器において、操作部分を上方に向けて折り曲げた状態を示す図である。
【図６】図４に示すカップ状容器において、操作部分を上方に向けて折り曲げた状態を示す図である。
【発明を実施するための形態】
【００１８】
以下、図面を参照し、本発明の一実施形態に係るカップ状容器１について説明する。
カップ状容器１は、図１〜図４に示されるように、カップ体１１、フランジ部１２、およびシール材１３を備えている。
カップ状容器１としては、例えばカップ体１１にコーヒー用ミルクなどが充填されて用いられる、いわゆるポーションカップなどが挙げられる。カップ状容器１としては、例えばカップ体１１にヨーグルト、プリン、ゼリーなどが充填されて用いられる、いわゆるカップ容器などが挙げられる。カップ状容器１を、調味料を個包装するのに用いてもよい。
【００１９】
カップ体１１は、上端開口１１ａを有する有底筒状に形成されている。
以下、上下方向から見たときのカップ体１１の底壁部１１ｂの図心を通り、上下方向に延びる直線をカップ軸Ｏといい、上下方向から見て、カップ軸Ｏに交差する方向を径方向といい、カップ軸Ｏ回りに周回する方向を周方向という。
【００２０】
フランジ部１２は、カップ体１１の上端開口縁から径方向の外側に向けて突出している。フランジ部１２は、カップ体１１に全周にわたって連続して配設されている。フランジ部１２およびカップ体１１は、例えばシート成形、若しくは射出成形などにより一体に形成されている。
シール材１３は、フランジ部１２の上面に剥離可能に接着され、カップ体１１の上端開口１１ａを閉塞している。シール材１３は、フランジ部１２の上面のうち、後述する窪み部１５ａの内面を除く全域にわたって一体に接着されている。
【００２１】
本実施形態では、カップ体１１は、上下方向から見て矩形状を呈している。上下方向から見て矩形状を呈するカップ体１１を構成する４つの辺部分１１ｃ〜１１ｆのうちの３つは直線状に延び、残りの１つは径方向の外側に向けて膨出するように湾曲している。
以下、上下方向から見て、直線状に延びる３つの辺部分１１ｃ〜１１ｅのうち、湾曲した１つの辺部分１１ｆと径方向で対向する辺部分を第１辺部分１１ｃといい、第１辺部分１１ｃにおける周方向の両端部に各別に連なる２つの辺部分を第２辺部分１１ｄ、１１ｅという。
【００２２】
そして、本実施形態では、カップ体１１の周壁部１４に、上端開口縁から下方に向けて延びるとともに、外周面が径方向の内側に向けて窪み、内周面がカップ体１１の内側に向けて張り出した反転変形部１６が形成されている。図示の例では、反転変形部１６は、周壁部１４のうち、前記第１辺部分１１ｃに位置する部分の周方向の中央部に形成されている。反転変形部１６は、周壁部１４における上下方向の全長にわたって形成されている。反転変形部１６は、カップ体１１の底壁部１１ｂに達している。
【００２３】
反転変形部１６の周方向に沿う幅は、下方から上方に向かうに従い狭くなっている。反転変形部１６の幅は、周壁部１４のうち、前記第１辺部分１１ｃに位置する部分の周方向に沿う長さの３分の１程度となっている。なお、反転変形部１６の周方向に沿う幅を、上下方向の全長にわたって同等にしてもよい。
反転変形部１６の周方向に沿う幅は、径方向の外側に向かうに従い広くなっている。なお、反転変形部１６の周方向に沿う幅を、径方向の全域にわたって同等にしてもよい。
【００２４】
反転変形部１６は、周方向の中央部に位置し、表裏面が径方向を向く溝底壁部１６ａと、溝底壁部１６ａにおける周方向の両端部から各別に径方向の外側に向けて延びる一対の溝側壁部１６ｂ、１６ｃと、により画成されている。溝底壁部１６ａおよび溝側壁部１６ｂ、１６ｃは平板状に形成されている。
【００２５】
フランジ部１２のうち、反転変形部１６の上端に連なる部分を含む操作部分１５は、上方に向けて折り曲げ可能に形成されており、図５および図６に示されるように、操作部分１５の上方に向けた折り曲げに伴い、反転変形部１６が、径方向の外側に向けて反転変形可能となっている。
図示の例では、操作部分１５の上方に向けた折り曲げに伴い、溝底壁部１６ａが、下端部回りに径方向の外側に向けて反転変形し、溝側壁部１６ｂ、１６ｃが、周方向の両端部のうち、溝底壁部１６ａ側と反対側の外端部回りに径方向の外側に向けて反転変形する。
【００２６】
操作部分１５は、カップ体１１の上端開口縁のうち、前記第１辺部分１１ｃに位置する部分の全長にわたって配設されている。上面視において、フランジ部１２の径方向の大きさ（以下、幅という）は、操作部分１５において最大となっている。操作部分１５の幅は、反転変形部１６の上端に連なる周方向の中央部において最大となっている。操作部分１５の外周縁は、全長にわたって、周壁部１４のうち、前記第１辺部分１１ｃに位置する部分の外周面より径方向の外側に位置している。
【００２７】
上下方向から見て、操作部分１５の外周縁のうち、周方向の両端部を除く部分は、直線状に真直ぐ延び、周方向の両端部は、周方向に沿って湾曲している。操作部分１５の内周縁は、カップ体１１の上端開口縁のうち、前記第１辺部分１１ｃに位置する部分の形状に沿って延びている。上下方向から見て、操作部分１５の内周縁のうち、反転変形部１６の上端に連なる周方向の中央部は、この部分より周方向の外側に位置する両側部分より径方向の内側に張り出して位置している。
【００２８】
操作部分１５のうち、反転変形部１６の上端に連なる周方向の中央部に、下方に向けて窪んだ窪み部１５ａが形成されている。窪み部１５ａは、径方向の大きさが、周方向の大きさより大きい、径方向に延びる条状に形成されている。窪み部１５ａは、操作部分１５の外周縁から径方向の内側に向けて延びて径方向の外側に向けて開口し、操作部分１５の内周縁から径方向の外側に離れている。窪み部１５ａの径方向の大きさは、操作部分１５のうち、周方向の中央部より周方向の外側に位置する両側部分の幅より大きくなっている。窪み部１５ａの周方向の大きさは、径方向の外側に向かうに従い、大きくなっている。窪み部１５ａの深さは、径方向の外側に向かうに従い、深くなっている。
【００２９】
フランジ部１２は、操作部分１５に周方向で連なり、かつカップ体１１の上端開口縁のうち、前記第２辺部分１１ｄ、１１ｅに位置する部分の全長にわたって配設された連設部分１７を備えている。操作部分１５における周方向の両端部は、連設部分１７における操作部分１５との接続部分の外周縁を径方向の外側から囲う羽部１５ｂを有している。羽部１５ｂは、操作部分１５から離れるに従い、径方向の大きさが小さくなっており、上下方向から見て、先端部が頂角部分となるような三角形状を呈している。羽部１５ｂが径方向の外側から覆っている、連設部分１７の外周縁の周方向の長さは、連設部分１７の幅より小さくなっている。
【００３０】
カップ体１１の周壁部１４の肉厚は、フランジ部１２の肉厚より薄くなっている。周壁部１４の肉厚は、フランジ部１２の肉厚の０．３倍〜０．８倍となっている。図示の例では、周壁部１４の肉厚は約０．５ｍｍ、フランジ部１２の肉厚は約１．０ｍｍ、底壁部１１ｂの肉厚は約０．７ｍｍとなっている。
【００３１】
以上説明したように、本実施形態によるカップ状容器１によれば、カップ体１１の周壁部１４に反転変形部１６が形成され、操作部分１５の上方に向けた折り曲げに伴い、反転変形部１６が径方向の外側に向けて反転変形するので、開封前に予め、反転変形部１６を反転変形させることで、カップ体１１の内容積を増大させ、カップ体１１の内側を減圧しておくことができる。この状態で、シール材１３をフランジ部１２の上面から剥がしてカップ体１１の上端開口１１ａを開放させると、外気がカップ体１１の内側に吸入されることとなり、内容物が外部に飛び出すのを抑制することができる。
【００３２】
操作部分１５における周方向の両端部が羽部１５ｂを有しているので、操作部分１５を上方に向けて折り曲げたときに、操作部分１５と連設部分１７との接続部分に応力が集中することとなり、反転変形部１６を反転変形させるのに要する、操作部分１５の上方に向けた折り曲げ力を低く抑えることができる。
【００３３】
上面視において、フランジ部１２の幅が、操作部分１５において最大となっているので、操作部分１５を上方に向けて容易に折り曲げることができる。
【００３４】
操作部分１５のうち、反転変形部１６の上端に連なる部分に、下方に向けて窪んだ窪み部１５ａが形成されているので、フランジ部１２のうち、上方に向けた力を加えたときに、反転変形部１６が反転変形しやすい部分を、使用者に容易に認識させることができる。
窪み部１５ａにより操作部分１５の剛性が高められ、操作部分１５を上方に向けて折り曲げるときに、操作部分１５がたわむのを抑制することができる。
窪み部１５ａが、操作部分１５の外周縁から径方向の内側に向けて延びて径方向の外側に向けて開口しているので、開封後に、カップ体１１内の内容物を、窪み部１５ａから注ぎ出すことができる。
【００３５】
カップ体１１の周壁部１４の肉厚が、フランジ部１２の肉厚より薄いので、操作部分１５を上方に向けた折り曲げたときに、これらの肉厚差に起因して、カップ体１１の周壁部１４と操作部分１５との接続部分に応力を集中させることが可能になることと相俟って、反転変形部１６を確実に径方向の外側に向けて反転変形させることができる。
【００３６】
本発明は上記した実施の形態に限定されるものではなく、その趣旨を逸脱しない範囲で適宜変更可能である。
【００３７】
操作部分１５の下面に、操作部分１５を上方に向けて容易に折り曲げることが可能になる折れ線部を形成してもよい。折れ線部として、例えばＶ字溝、矩形溝、若しくは半円形溝などの薄肉部が挙げられる。
操作部分１５に窪み部１５ａを形成しなくてもよく、窪み部１５ａの形状は、例えば点状にするなど適宜変更してもよく、窪み部１５ａは、操作部分１５の外周縁から径方向の内側に離れてもよく、窪み部１５ａの径方向の大きさは、操作部分１５のうち、周方向の中央部より周方向の外側に位置する両側部分の幅以下としてもよい。
反転変形部１６の下端部は、カップ体１１の底壁部１１ｂより上方に位置してもよい。
【００３８】
カップ体１１は、上下方向から見て、例えば円形状を呈する構成にするなど適宜変更してもよい。
フランジ部１２に破断可能な弱化部を介して摘み部を連結し、シール材１３が、前記弱化部を跨いで摘み部の上面に一体に接着された構成を採用してもよい。
【００３９】
カップ体１１を変形可能に形成し、開封後に、カップ体１１を押圧して変形させながら、カップ体１１内の内容物を取り出してもよい。
フランジ部１２の上面と、シール材１３と、を接着する接着層は、カップ体１１内を密封できれば、フランジ部１２の上面の全域にわたって設けられなくてもよい。
操作部分１５の上方に向けた折り曲げに伴い、反転変形部１６が径方向の外側に向けて反転変形したときに、シール材１３が、操作部分１５の上面のうち、窪み部１５ａの径方向の内端部と連なる部分から剥離し、窪み部１５ａ内とカップ体１１内とが連通してもよい。
【００４０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４１】
１  カップ状容器
１１  カップ体
１１ａ  上端開口
１２  フランジ部
１３  シール材
１４  周壁部
１５  操作部分
１５ａ  窪み部
１５ｂ  羽部
１６  反転変形部
１７  連設部分
Ｏ  カップ軸
【図１】
2020121800.tif 000003
【図２】
2020121800.tif 000004
【図３】
2020121800.tif 000005
【図４】
2020121800.tif 000006
【図５】
2020121800.tif 000007
【図６】
2020121800.tif 000008